(57)【特許請求の範囲】
【請求項１】
コネクタハウジング及びそこに配置された複数の導電性信号端子を備え、絶縁材料で形成されたコネクタ支持部材を更に備え、この支持部材は、第１及び第２の支持面を有すると共に、互いに逆の第１及び第２端を有し、上記支持部材の第１面に配置された複数の導電性信号端子を有する電気的コンタクト組立体を更に備え、各導電性信号端子は、コンタクト部分と、そこから長手方向に上記支持部材の第２端を越えて延びる細長い第１テール部分とを有し、上記支持部材の第２面に配置されたシールドプレートを有する接地組立体を更に備え、シールドプレートは、上記支持部材の第２端を越えて長手方向に延びる複数の第２テール部分を有し、上記シールドプレートの第２テール部分及び上記導電性信号端子の第１テール部分は、共通の平面内に存在し、上記支持部材の後方でクランプ部材により離間関係に維持された複数のケーブルを更に備え、クランプ部材は絶縁材料で形成され、各ケーブルは、上記第１及び第２のテール部分に電気的に接続された少なくとも１つの導体を含み、上記支持部材及びクランプ部材にモールドされた絶縁材料で形成されたブリッジ部分を更に備え、このブリッジ部分は、上記支持部材とクランプ部材との間に延び、上記ブリッジ部分は、上記支持部材及びクランプ部材の両方の少なくとも一部分を包囲し、そして上記ブリッジ部分は、上記支持部材及びクランプ部材を上記コネクタハウジングへと互いに一体的に接合することを特徴とする電気ケーブルコネクタ。
【請求項２】
上記コネクタハウジングは、上記ケーブルが延びるところの後壁を含み、コネクタハウジングのこの後壁は、上記ブリッジ部分及びクランプ部材の上記一部分の協働により形成される請求項１に記載の電気ケーブルコネクタ。
【請求項３】
上記支持部材及びクランプ部材は、介在スペースにより分離され、そして上記第１及び第２の端子テール部分は、上記介在スペースにおいて交互に配置されて、各第２テール部分が第１テール部分に隣接するようにする請求項１に記載の電気ケーブルコネクタ。
【請求項４】
上記ブリッジ部分は、上記支持部材の一部分、上記クランプ部材の一部分、及び上記第１及び第２テール部分の上にモールドされ、上記ブリッジ部分は、上記第１及び第２テール部分をカプセル状に包囲する請求項１に記載の電気ケーブルコネクタ。
【請求項５】
上記クランプ部材は、ほぼ上記コネクタハウジングの巾にわたって延びる細長いベース部分を含み、クランプ部材のこのベース部分には一連の溝が形成され、各溝は、少なくとも１つのケーブルを受け入れる請求項１に記載の電気ケーブルコネクタ。
【請求項６】
上記クランプ部材のベース部分は、第１及び第２の半部分を含み、これら第１及び第２の半部分は、これら２つの半部分を方向付けして嵌合するための手段を含む請求項５に記載の電気ケーブルコネクタ。
【請求項７】
上記方向付けして嵌合する手段は、上記２つの半部分に形成された対向するポスト及び開口の組を含む請求項６に記載の電気ケーブルコネクタ。
【請求項８】
上記ベース部分の外面には一連の溝が形成され、この溝は、上記コネクタ本体部の一部分を受け入れる請求項５に記載の電気ケーブルコネクタ。
【請求項９】
上記支持部材は、上記第１面に配置された複数のチャンネルを含み、各チャンネルは、上記導電性信号端子の１つを受け入れ、そして上記シールド部材は、上記支持部材の第２面を横切って延びるプレート部分を含む請求項１に記載の電気ケーブルコネクタ。
【請求項１０】
絶縁性支持部材を含むコンタクト組立体を備え、支持部材の第１面には複数の導電性信号端子が配置されそして支持部材の第２の反対面には接地コンタクト部材が配置され、支持部材は互いに逆の第１及び第２端を有し、導電性信号端子は、支持部材の第１端付近で離間された状態で配列され、導電性信号端子は、更に、支持部材の第２端付近に配置されてそれを越えて延びるテール部分を有し、上記接地コンタクト部材は、支持部材の第２端付近に配置されてそれを越えて延びる複数のテール部分を有し、上記導電性信号端子及び接地コンタクト部材のテール部分は、ほぼ共通の平面に配列され、
更に、複数のケーブルを備え、各ケーブルは、信号ワイヤ終端をもつ少なくとも１つの信号ワイヤと、ケーブルの長さ全体にわたって延びる接地部材終端をもつ１つの接地部材とを有し、ケーブルの信号ワイヤ終端は、上記導電性信号端子のテール部分に電気的に接続され、そしてケーブルの接地部材終端は、少なくとも１つの接地部材終端が各信号ワイヤ終端に隣接する所定のパターンで上記接地コンタクト部材のテール部分に電気的に接続され、
更に、上記ケーブルに適用されそして上記支持部材の第２端の後方に離間されたクランプ部材を備え、このクランプ部材は、上記ケーブルを所定の間隔で保持し、そして
更に、コネクタハウジングを協働で画成するように上記支持部材及びクランプ部材の少なくとも一部分の上にモールドされた絶縁本体部を備え、コネクタハウジングは、上記導電性信号端子及び接地コンタクト部材のテール部分と、上記ケーブル信号ワイヤ及び接地部材の終端とをカプセル状に包囲し、これにより、上記導電性信号端子及び接地コンタクト部材のテール部分と、上記ケーブル信号ワイヤ及び接地部材の終端とを互いに絶縁することを特徴とする電気コネクタ組立体。
【請求項１１】
上記クランプ部材は、第１及び第２の相互係合する半部分を備え、これら半部分は、上記コネクタのケーブルの本数に対応する数の複数の内部溝を含み、これら内部溝は、介在するランド部分によって分離され、これらランド部分は、上記第１及び第２の半部分に係合するための手段を有する請求項１０に記載の電気コネクタ組立体。
【請求項１２】
上記クランプ部材は、第１及び第２のクランプ部分を含み、これら２つの各クランプ部分には、複数の内部溝が配置されており、各溝は、１本のケーブルの半分を受け入れるに充分な巾を有し、上記ランド部分は、上記第１及び第２のクランプ部分を方向付けして一緒に嵌合するための手段を含む請求項１０に記載の電気コネクタ組立体。
【請求項１３】
上記クランプ部材の外面には複数の溝が配置され、これら外部溝は、介在するランド部分により分離され、これら外部ランド部分は、上記コネクタハウジングの一部分を形成する請求項１０に記載の電気コネクタ組立体。
【請求項１４】
上記クランプ部材の端壁は、上記コネクタハウジングの端壁の一部分を形成し、そして上記クランプ部材の端壁は、型空洞の対向面に係合することができる請求項１０に記載の電気コネクタ組立体。
【請求項１５】
上記クランプ部材の２つの半部分は外面を含み、上記クランプ部材の半部分の外面は、上記コネクタ本体の外面の一部分を少なくとも部分的に画成するように働く請求項１１に記載の電気コネクタ組立体。
【請求項１６】
上記クランプ部材及び上記支持部材は、介在するスペースによって互いに離間され、上記導電性信号端子及び接地コンタクト部材のテール部分と、上記ケーブル信号ワイヤ及び接地部材の終端との両方が上記介在スペースへと延び、上記本体部分は、上記支持部材と上記クランプ部材との間に延び、そして上記介在スペースを満たし、これにより、上記導電性信号端子及び接地コンタクト部材のテール部分と、上記ケーブル信号ワイヤ及び接地部材の終端とをカプセル状に包囲する請求項１０に記載の電気コネクタ組立体。
【請求項１７】
低干渉特性の電気ケーブルコネクタにおいて、
絶縁材料で形成され、第１及び第２の面が第１及び第２の互いに逆の端間に延びているコネクタ支持部材を備え、そして
電気コンタクト組立体を更に備え、このコンタクト組立体は、上記支持部材の第１面に保持された複数の導電性であって、関連する第１テール部分を各々有する導電性信号端子と、上記支持部材の第２面に配置された共通のシールドプレートを含み、このシールドプレートには、複数の第２のテール部分が関連され、上記第１及び第２のテール部分は、上記支持部材の第２端を越えて長手方向に延び、上記シールドプレートの第２テール部分及び上記コンタクトの第１テール部分は、信号ワイヤ及び接地ワイヤに終端するために共通の平面に存在し、
更に、上記支持部材の後方でクランプ部材により離間関係に維持された複数のケーブルが接続され、各ケーブルは、一対の個別の信号ワイヤと、接地部材とを含み、上記ケーブルの信号ワイヤ及び接地部材は、上記コンタクト組立体の第１及び第２テール部分に各々接続される終端を有し、上記コンタクト組立体の第１及び第２テール部分と、上記ケーブル信号ワイヤ及び接地部材の終端とは、上記支持部材の後縁と、上記ケーブルに適用されるクランプ部材の前縁とで画成された介在スペースに向かって上記支持部材の後方に延び、上記コネクタは、更に、上記支持部材とクランプ部材を相互接続する個別のコネクタ本体部分を含み、このコネクタ本体部分は、上記介在スペースを満たすと共に、上記コンタクト組立体の第１及び第２テール部分と、上記ケーブル信号ワイヤ及び接地部材の終端とをカプセル状に包囲し、
上記コネクタ本体部分は絶縁材料で形成され、そして上記支持部材及びクランプ部材の一部分の上にモールドされる電気ケーブルコネクタ。
【発明の詳細な説明】
【０００１】
【発明の属する技術分野】
本発明は、一般に、ケーブルコネクタに係り、より詳細には、ストレインレリーフ手段が一体化された高速用の電気ケーブルコネクタに係る。
【０００２】
【従来の技術】
ケーブルをバックプレーン組立体に接続するために、多数のコネクタが知られている。これらコネクタのほとんどは、多数の部品で組み立てられ、コンタクト端子、接地プレート及びハウジングを備えている。コンタクト端子、接地プレート、及びケーブルへのそれらの接続点は、１９８６年７月２９日付の米国特許第４，６０２，８３１号に開示されたコネクタ構造体で例示されるように、異なる平面に維持される。
【０００３】
【発明が解決しようとする課題】
接続点が異なる平面にあることは、コネクタのコンタクト端子のテールにケーブルリードを溶接又は半田付けする作業を困難にし、ひいては、コネクタの製造コストを高める。又、このような二重平面構成は、ケーブルの信号ワイヤ間の電気的干渉をクロストーク（信号漏れ）の形態で高めることにもなる。更に、公知のコネクタに使用されたストレインレリーフ部材は、コネクタ本体の後方でそこから離間してケーブルに個別に取り付けねばならない。
本発明は、これらの欠点を克服する改良されたケーブルコネクタに向けられる。
【０００４】
【課題を解決するための手段】
従って、本発明の目的は、ケーブルウエハーコネクタの用途に使用するための高い電気的性能特性をもつ改良されたケーブルコネクタを提供することである。
本発明の別の目的は、一連のケーブルを導電性ピンのアレーに接続するコネクタであって、ケーブルの個々のワイヤが同じ平面内に終端維持されると共に、その信号ワイヤに並置して接地ワイヤが設けられて、電気的性能が向上されたコネクタを提供することである。
【０００５】
本発明の別の目的は、多数の個々のワイヤが終端された複数の導電性ピン接点を包囲したケーブルコネクタ組立体であって、ワイヤの終端をほぼ同じ平面内で行ってその電気的性能を向上させ、ケーブルは、ケーブル位置設定部材によって離間させ、そしてこの位置設定部材の上にハウジングがモールドされたコネクタ組立体を提供することである。
【０００６】
本発明の更に別の目的は、絶縁性コネクタハウジング内で予め選択された間隔に複数の導電性信号端子及び接地コンタクトが維持された一体的なケーブルコネクタであって、上記導電性信号端子のテール部分が、予め選択された単一の平面内で互いに整列状態に維持され、一連のケーブルの個々の信号及び接地ワイヤが上記テール部分に各々終端され、これらケーブルがクランプ部材によって予め選択された間隔で保持され、クランプ部材は、コネクタハウジングに一体成形されると共に、コネクタハウジングから出るケーブルのストレインレリーフとして働くようなケーブルコネクタを提供することである。
【０００７】
これらの目的により、本発明は、１つの主たる特徴において、複数の導電性信号端子を片面にそして接地シールドを他面に支持するコネクタ本体部分を有する改良されたウエハーコネクタ構造体を提供する。導電性信号端子及び接地シールドは、コネクタ本体部分の後方に延びるテール部分を有する。好適な実施形態では、導電性信号端子のテール部分は、平坦であって共通の平面内に延び、一方、接地シールドのテール部分も平坦であるが、導電性信号端子のテール部分と同じ平面内に延びるように曲げられる。この同一平面性は、ケーブルワイヤをテール部分に取り付けるプロセスを簡単化する。
【０００８】
導電性信号端子及び接地コンタクトのテール部分は、交互に配列され、必要に応じて、各導電性信号端子又は導電性信号端子の対を接地テール部分で取り囲み、コネクタにクロストークが発生するおそれを低減することができる。本発明の別の重要な特徴として、コネクタハウジングをその本体部分からケーブル端まで延ばすようにケーブルワイヤの接続エリアがオーバーモールドされる。クランプ又は保持具の形態のケーブルスペーサが設けられ、これは、ケーブル剥ぎ及び終端のための好ましい間隔にケーブルを保持する。
【０００９】
このケーブルクランプは、オーバーモールドプロセス中及び完成したコネクタにおいてストレインレリーフの役目を果たす。ケーブルクランプは、ケーブルに適用される２部片インサートの形態をとり、この点において、ケーブルを受け入れるための溝が形成される。このクランプは、これがケーブルに取り付けられそしてワイヤがテール部分に終端された後に、型に挿入される。次いで、コネクタハウジングの延長部が、ハウジング及びケーブルワイヤの終端点の上にモールドされ、個別のケーブルクランプ及びコンタクト組立体を一体的なコネクタ本体へと一緒に接合する。
【００１０】
【発明の実施の形態】
本発明のこれら及び他の目的、特徴並びに効果は、添付図面を参照した以下の詳細な説明より明確に理解されよう。
本発明は、上述したように、ケーブルウエハーコネクタに関する。このようなコネクタが図１に参照番号２０で示されている。コネクタ２０は、プラスチックのような電気絶縁性材料で形成された細長い本体部分２２を有する。この本体部分２２は、前部２４及び後部２５を有する。前部２４は、複数の導電性信号端子４３を含み、これら導電性信号端子４３は、バックプレーン部材から突出するピンのアレーのような対向部材（図示せず）の対応する導電性ピンを受け入れるために予め選択された間隔で配置される。後部２５は、１本以上のワイヤ２８を各々含む複数のマルチワイヤケーブル２７を保持する。
【００１１】
図２に示すように、ケーブル２７は、それに対応するコネクタコンタクト組立体２９と整列され、そしてそこに取り付けられる。コネクタ本体部分２２は、コネクタコンタクト組立体２９及びケーブル組立体３０の一部分の上に後でモールドされる。従って、完成したコネクタ２０は、２つの異なるそして個別の組立体、即ちコネクタコンタクト組立体２９及びケーブル組立体３０を一体化したものと考えられる。
【００１２】
先ず、ケーブル組立体３０を説明すれば、オーバーモールドに適した材料、例えば、プラスチックで形成されたケーブルクランプ即ち保持具３１により、複数のマルチワイヤケーブル２７が所定の間隔に保持される。図７及び図８は、このような２つのケーブルクランプ３１を示す。図７に示すケーブルクランプ３１は、互いに容易に係合するように構成された２つの対向する半部分３２ａ、３２ｂを含む。この点について、図７に示すように、ケーブルクランプの半部分３２ａ、３２ｂは一連の溝３４を有し、ここでは、３つの溝３４が、介在するランド部分３５によって互いに分離されて示されている。溝３４は、クランプ３１の巾Ｗにわたって延びる。図８に示すケーブルクランプは、特定形状の外面７２を有し、溝即ち谷部７１が介在するランド部分７０により分離されるという点で、図７の場合とは異なる。
【００１３】
ランド部分３５は、図示されたように、２つの半部分３２ａ、３２ｂを方向付けして一緒に嵌合するための手段、例えば、突出ポスト３６と、このポスト３６を受け入れるための対応する窪み開口３７とを含むのが好ましい。これらのポスト３６及び開口３７は、内側の巾の広いランドに配置されるが、外側の巾の狭いランドは、三角形の突出ラグ３８と、それに関連した適当な構成の三角形の溝３９とを含む。これらの相互係合する素子の組は、組立中に、ケーブル２７を位置保持すると共に、２つの半部分３２ａ、３２ｂを互いに保持するよう作用する。半部分３２ａ、３２ｂは、超音波溶接、プラスチック溶接、熱溶接、接着剤等の適当な手段により互いに固定されるのが好ましい。この点について、ラグ３８及びそれに対応する溝３９は、クランプの半部分３２ａ、３２ｂの適切な整列及び嵌合を確保するだけでなく、超音波溶接又は他の同様の接合手段が使用されるときにエネルギーを方向付けするようにも働く。
【００１４】
重要なこととして、ケーブルクランプ３１は、異なる長さのストリップで作られ、そして特定のコネクタに必要なケーブル２７の本数に適合するように所望の長さＬに切断される。更に、以下に詳細に述べるように、クランプ３１は、型に容易に挿入されて、その上に最終的なコネクタ本体がモールドされる。コネクタ２０の後端２５付近の位置において、コンタクト組立体２９の上に最終的なコネクタ本体がモールドされるときには、クランプ３１は、ケーブル２７のストレインレリーフとして働くと共に、コネクタ２０の後端２５の一部分を形成する助けもする。
【００１５】
図３Ａは、コネクタ２０に使用されるコンタクト組立体２９を示す部分断面上面図である。コンタクト組立体２９は、型抜き成形された複数の個々の導電性信号端子４３を支持する絶縁フレーム即ち支持部材４０を備え、各導電性信号端子４３は、一対のコンタクトアーム４４を有し、そのコンタクト面即ちポイント４５は、チャンネル５９内に配置され、そしてそれに対応するピン即ち雄コンタクト部材４６（仮想線で示す）の巾、厚み又は直径より小さい所定の距離だけ互いに離間される。このように、コンタクト組立体２９と、同数のピン４６とが係合すると、ピン４６の押し込み作用のもとでコンタクトアーム４４が互いに若干広げられる。コンタクトアーム４４は、コンタクト面４５において、それらのバネ力及び最初の至近離間構成によりピン４６に係合する。コネクタ２０の前端２４には、支持部材４０のチャンネル５９に連通するスロット６０が形成される。これらのスロット６０は、コネクタ２０の前端２４に連通しそしてそこで開いており、相手コネクタ（図示せず）の導電性の雄コンタクト部材４６を受け入れることができる。
【００１６】
各導電性信号端子４３は、後方に延びて、細長いレッグ部分４８を含み、これは、テール部分４９で終わる。全ての導電性信号端子４３において、レッグ部分４８は、隣接導電性信号端子４３のレッグ部分４８から分離され、単一のテール部分４９が単一の導電性信号端子４３に関連される。プレート部材５１の形態の分離部材は、導電性信号端子４３を、同数のチャンネル５９内で所定の整列状態に保持するように働く。プレート部材５１には開口５２が設けられ、これは、プレート部材５１における導電性信号端子４３の適切な配置を目で確認できるようにすると共に、個々の導電性信号端子４３の継続性をテストする手段も構成する。これらの「信号」導電性信号端子４３のテール部分４９は、プレート部材５１の後面５３を越えて特定の距離だけ延び、ケーブルワイヤ２８のリードを対応テール部分４９に終端できるようにする。
【００１７】
図３Ｂに示すように、コンタクト組立体２９の反対側には、導電性プレート５５の形態の接地即ちシールド部材が設けられる。この接地プレート５５には、プレート部材５１の反対面に配置された一連のポスト５７を締りばめ等により受け入れるための一連の開口５６が形成されている。接地プレート５５には複数のテール部分５８が形成され（接地プレート５５から型抜き成形されてもよい）、これらテール部分は、プレート部材５１の後面５３を越えて後方に延びる。これらテール部分５８は、導電性信号端子４３の隣接テール部分４９間の介在スペース内に延びるように所定のパターンで方向付けされる。
【００１８】
接地プレート５５は、更に、参照番号６１で示すようにコンタクト組立体２９の前面６０に向かって延び、導電性信号端子４３の効果的な信号分離を与える。図４に示すように、接地プレートのテール部分５８は、コンタクトのテール部分４９と整列され且つ好ましくはそれと同じ平面内に存在するように、若干オフセット式に曲げられる。この同一平面性が図１２に示されている。この同一平面構成は、ケーブル２７の個々の信号ワイヤ２８及び接地シールド８０の溶接又は半田付けを容易にする。更に、この同一平面構成は、導電性信号端子４３間のクロストーク又は干渉を低減する。というのは、接地プレートのテール部分５８及び導電性信号端子のテール部分４９が同じレベルに配置され、公知の構成のように交互に上下に配置されてクロストークを誘発することがないからである。
【００１９】
コネクタ２０を組み立てるときには、ケーブルワイヤ２８のリードを溶接又は半田付けのような適当なやり方でテール部分４９、５８に取り付ける。このプロセスにおいて、信号リードは、それに対応する導電性信号端子のテール部分４９に取り付け、そして接地シールドは、それに対応する接地テール部分５８に取り付け、交互に信号−接地−信号−接地という構成にして、適切な信号分離を確保する。図１２に示すように、ケーブル２７の信号ワイヤは、「Ｓ」においてコンタクトテール部分４９に取り付けられ、そして接地又はドレインリードは、「Ｇ」において接地テール部分５８に取り付けられる。
【００２０】
ケーブルクランプ３１は、コンタクト組立体２９に取り付ける前にワイヤ２８に取り付けられる。このように取り付けられると、クランプ３１は、個々のケーブルを終端のための適切なピッチに配列する。ケーブルクランプ３１は、コンタクト組立体２９から離間され、それらの間に介在スペースが形成される。コンタクト組立体２９のテール部分と、ケーブルワイヤ及び接地部材の終端とは、この介在スペースへと延びる。次いで、ケーブルクランプ３１及びコンタクト組立体２９は、全組立体として型に挿入され、そして全コネクタ本体部分２２の絶縁性延長部即ちブリッジ部分６５がコンタクト組立体２９及びその関連プレート部材５１上にオーバーモールドされる。この延長部６５は、テール部分及びプレート部材５１上にオーバーモールドされる。又、ケーブル組立体３０及びその関連ケーブルクランプ３１上にもオーバーモールドされ、それ故、ケーブルクランプ３１を支持部材４０に一体的に相互接続する。このオーバーモールド作業は、図３及び図４に「ＯＭ」と示された範囲で行なわれ、ケーブルワイヤ２８のリード及びそれに取り付けられたテール部分４９、５８をカプセル状に包囲する。ブリッジ部分６５をモールドする付加的な絶縁材料は、ケーブルクランプ３１と支持部材４０との間の介在スペースを満たし、ひいては、ケーブルワイヤ及び接地部材とテール部分４９、５８との終端部をカプセル状に包囲する。
【００２１】
組み立てプロセス中に、ケーブルクランプ３１は、ケーブル２７のストレインレリーフ部材として働くと共に、型の遮蔽部としても働く。又、クランプ３１は、クランプ３１の後面３３が型空洞に配置されて、図５に示すように型空洞の後壁と一致して延びるので、コンタクト及びケーブル組立体２９、３０を型空洞に適切に位置設定する助けもする。これにより形成されるコネクタ２０は、ケーブルクランプ３１をその本体部分２２に一体化する。この一体化を助けるために、ケーブルクランプ３１は、介在する溝即ち谷部分７１で分離された外部ランド部分７０を有してもよい。これらの谷部分７１は、ケーブルクランプ３１と結合するモールド材料を受け入れて、コネクタ本体部分２２を構造上堅牢なものにする。更に、外部ランド部分７０は、最終的なコネクタ２０の全外面の一部分を形成するように働く。
本発明の好適な実施形態を図示して説明したが、当業者であれば、請求の範囲に規定された本発明の精神及び範囲から逸脱せずに種々の変更や修正がなされ得ることが明らかであろう。
【図面の簡単な説明】
【図１】本発明の原理に基づいて形成されたウエハーコネクタの斜視図である。
【図２】ウエハーサブ組立体と、このウエハーサブ組立体から分離されたケーブルクランプに保持されたワイヤケーブルとを示す分解図である。
【図３Ａ】図２のウエハーサブ組立体にケーブルが整列されそして接触された状態を示す上面図である。
【図３Ｂ】図２のウエハーサブ組立体の下面図である。
【図４】図３の４−４線に沿った側面図である。
【図５】図１のウエハーコネクタの上面図で、ウエハーコネクタ本体内にモールドされたケーブルの位置を示す図である。
【図６】図５の６−６線に沿ったウエハーコネクタの側面図である。
【図７】図１のウエハーコネクタに使用されるケーブルクランプの一部分を示す斜視図である。
【図８】図７と同様のケーブルクランプの斜視図であるが、３本のワイヤに適用され、そしてケーブルクランプの２つの半部分を接合してケーブルを特定の位置及び間隔に維持した状態を示す図である。
【図９】図８のケーブルクランプの別の実施形態を示す図である。
【図１０】本発明のウエハーコネクタに使用されるケーブルクランプの別の実施形態を示す図である。
【図１１】図５の１１−１１線に沿ったコネクタの端面図である。
【図１２】図５のコネクタの端面図であるが、コネクタの前面を示すと共に、コネクタにおける導電性信号端子及び接地コンタクトの１つの好ましい配列を概略的に示す図である。
【図１】
0003565166.tif 000002
【図２】
0003565166.tif 000003
【図３Ａ】
0003565166.tif 000004
【図３Ｂ】
0003565166.tif 000005
【図４】
0003565166.tif 000006
【図５】
0003565166.tif 000007
【図６】
0003565166.tif 000008
【図７】
0003565166.tif 000009
【図８】
0003565166.tif 000010
【図９】
0003565166.tif 000011
【図１０】
0003565166.tif 000012
【図１１】
0003565166.tif 000013
【図１２】
0003565166.tif 000014